(57)【要約】【課題】ピンチアームの回動範囲は大きく、この動きに伴って引っ張りバネも広範囲に渡って伸び縮みおよび左右動するので、全動作における引っ張りバネの占有する空間はきわめて広い。そのため、装置の小型化に支障を来していた。【解決手段】ピンチローラーアーム９０の回動に伴って戻しバネ９６が伸びた状態になっても、実際には圧着バネ１００への巻き付け角度が増えるだけで、戻しバネ９６の占有空間はごくわずかである。  これによって装置の小型化に貢献するという優れた効果が得られる。また、一般的にバネの外周は滑らかであり、戻しバネ９６の外周は常に圧着バネ１００に接しているため、バネの急激な伸縮時に発生する音も抑えられ、動作音が静粛になるといった効果も得られる。【選択図】  図１
2004288275.tif 000002
【特許請求の範囲】
【請求項１】
回転して磁気テープを移送するためのキャプスタン軸と、
キャプスタン軸との間に磁気テープを挟んで前記キャプスタン軸に押圧されるピンチローラーと、
前記ピンチローラーを回転自在に軸承したピンチアーム手段と、
前記ピンチアーム手段を回動自在に軸承するシャーシ手段と、
前記ピンチローラーをキャプスタン軸に圧着するため、ピンチアーム手段の回動軸と同心位置に設けられた圧着バネ手段と、
ピンチローラーがキャプスタン軸から離間する方向に作用するように、前記ピンチアーム手段とシャーシ手段との間に張架された戻しバネ手段とで構成され、
前記戻しバネ手段は圧着バネ手段のコイル外周部に沿って円周状に張架されたことを特徴とする磁気記録再生装置。
【請求項２】
圧着バネ手段はねじりコイルバネ、戻しバネ手段は引っ張りコイルバネで構成されたことを特徴とする請求項１記載の磁気記録再生装置。
【発明の詳細な説明】
【０００１】
【発明の属する技術分野】
本発明は、簡単な構成で、装置の小型化に寄与する磁気記録再生装置に関するものである。
【０００２】
【従来の技術】
近年、磁気記録再生装置は、軽量化、低コスト化、低消費電力化が望まれている。
【０００３】
以下に従来の磁気記録再生装置について説明する。
【０００４】
従来、磁気記録再生装置は特開平１１−２７３１８４号公報に記載されたものが知られている。
【０００５】
【特許文献１】
特開平１１−２７３１８４号公報
【０００６】
【発明が解決しようとする課題】
しかしながら従来の構成では、上記特許文献１の図１３〜図１７に示すように、ピンチアーム５３の回動範囲は大きく、この動きに伴って引っ張りバネ５８も広範囲に渡って伸び縮みおよび左右動するので、全動作における引っ張りバネ５８の占有する空間はきわめて広い。そのため、装置の小型化に支障を来していた。
【０００７】
本発明は上記従来の問題点を解決するもので、小型化が可能な磁気記録再生装置を提供することを目的とする。
【０００８】
【課題を解決するための手段】
この目的を達成するために本発明の磁気記録再生装置は、ピンチアームの戻しバネをピンチ圧着バネの外周に沿わして円周状に張架している。
【０００９】
この構成によって、わずかなスペースにピンチアーム戻しバネを構成することができる。
【００１０】
【発明の実施の形態】
本発明の請求項１に記載の発明は、回転して磁気テープを移送するためのキャプスタン軸と、キャプスタン軸との間に磁気テープを挟んで前記キャプスタン軸に押圧されるピンチローラーと、前記ピンチローラーを回転自在に軸承したピンチアーム手段と、前記ピンチアーム手段を回動自在に軸承するシャーシ手段と、前記ピンチローラーをキャプスタン軸に圧着するため、ピンチアーム手段の回動軸と同心位置に設けられた圧着バネ手段と、ピンチローラーがキャプスタン軸から離間する方向に作用するように、前記ピンチアーム手段とシャーシ手段との間に張架された戻しバネ手段とで構成され、前記戻しバネ手段は圧着バネ手段のコイル外周部に沿って円周状に張架するようにしたものであり、わずかなスペースにピンチアーム戻しバネを構成することができるという作用を有する。
【００１１】
本発明の請求項２に記載の発明は、圧着バネ手段はねじりコイルバネ、戻しバネ手段は引っ張りコイルバネで構成するようにしたものであり、わずかなスペースにピンチアーム戻しバネを構成することができると共に、バネが伸縮する際の動作音を軽減するという作用を有する。
【００１２】
以下、本発明の実施の形態について、図１から図６を用いて説明する。
【００１３】
（実施の形態１）
図１、図２は本発明による磁気記録再生装置のメカニズム部の構成を示すものである。
【００１４】
このメカニズムは一般的にシュリンクメカニズムと呼ばれ、サブシャーシと呼ばれる移動式のシャーシが、メインシャーシ上を摺動し、磁気テープカセットの着脱時には大きく飛び出し、テープローディング後の動作時にはほとんどメインシャーシと重なって小さくなる構造である。
【００１５】
前記メインシャーシにはテープガイドドラム、キャプスタンモータ、ピンチローラー等の主要部品が、また、サブシャーシにはリール台、カセットホルダー、テープ引き出しポスト等の部品が備えられている。
【００１６】
図１、図２では、主要な部品以外は省略しているが、構成および動作を説明する。
【００１７】
６０はメインシャーシであり、テープガイドドラム６２、キャプスタンモータ６４、ピンチローラーユニット６６等、テープ走行に必要な部品が載置されている。
【００１８】
６８はサブシャーシであり、２つのリール台７０ａ、７０ｂ、カセットホルダー（図示せず）等を具備し、磁気テープカセット（図示せず）を装着する構造になっている。
【００１９】
メインシャーシ６０とサブシャーシ６８は摺動ガイド部７２ａ、７２ｂで支持され、矢印Ａ，Ｂ方向に移動可能である。
【００２０】
前記メインシャーシ６０にはカムギア７４が載置され、駆動モータ（図示せず）によってカムギア軸７５を中心に矢印Ｃ，Ｄ方向に回転する。
【００２１】
前記カムギア７４の上端面にはカムピン７６が設けられており、前記サブシャーシ６８に設けられたカム部７８と係合している。
【００２２】
これによって前記サブシャーシ６８は、カムギア７４の回転に対応して矢印ＡまたはＢ方向へ移動する。
【００２３】
カムギア７４の内部には回転角度を検出する接点が設けられており、前記カムギアのカムピン７６がどの位置にあるかが分かるようになっている。
【００２４】
図２は矢印Ｂ方向に移動しきった状態を示す。
【００２５】
前記カムギア７４とサブシャーシ６８の間にはキックアーム８０が、メインシャーシ６０に設けられたアーム軸８２に回動自在に軸承されており、前記キックアーム８０のカム溝８４がカムピン７６と係合している。
【００２６】
キックアーム８０はカムピン７６の動きに連動して、カム溝８４の形状で決まるタイミングでアーム軸８２の周りを矢印ＥまたはＦ方向に回動する。
【００２７】
８６はストッパピンであり、前記キックアーム８０の矢印Ｆ方向の回動を規制している。
【００２８】
ピンチローラーユニット６６は、ピンチローラーアーム９０にピンチローラー９８が軸承されると共に、回動中心にボス６７を有している。
【００２９】
前記ピンチローラーアーム９０は、ボス６７の外周にねじりコイルバネによる圧着バネ１００を撓ませた状態で支持し、ピンチローラー回動軸８８に軸承される。
【００３０】
前記圧着バネ１００の端部１０１は直角に曲げられ、キックアーム８０のキック部１０４と係合する位置関係になっている。
【００３１】
さらに、ピンチローラーアーム９０のボス６７付近にはバネ掛け６５が形成されており、バネ掛け６５には引っ張りコイルバネから成る戻しバネ９６のフック９３が掛けられている。
【００３２】
戻しバネ９６は、前記ピンチローラーユニット６６をピンチローラー回動軸８８に組み込んだ後、戻しバネ９６の他端のフック９１を図２に示すメインシャーシ６０に形成されたバネ掛け６１に係合させる。
【００３３】
このバネ掛け６１は、前記戻しバネ９６が圧着バネ１００の外周に沿って円周状に張架される位置に設けられている。
【００３４】
前記ピンチローラーアーム９０の曲げ部９２は、サブシャーシ６８の曲げ部９４と対向する位置関係に配置される。
【００３５】
次に動作を、図２〜図５を用いて説明する。
【００３６】
図２の状態からカムギア７４が矢印Ｃ方向に回転すると、図３に示すようにカムピン７６によってサブシャーシ６８は矢印Ａ方向へ移動する。
【００３７】
この時、メインシャーシ６０のピンチローラー回動軸８８に軸承されたピンチローラーユニット６６は、ピンチローラーアーム９０の曲げ部９２が、サブシャーシ６８の曲げ部９４に押され、矢印Ｈ方向に回動トルクを与える戻しバネ９６に抗して矢印Ｊ方向に回動する。
【００３８】
戻しバネ９６はピンチローラーアーム９０の矢印Ｊ方向の回動に伴ってフック９１とフック９３との距離が離れ、伸びた状態になるが、実際には圧着バネ１００への巻き付け角度が増えるだけである。
【００３９】
さらにカムギア７４が矢印Ｃ方向に回転し、図３の位置を経て、図４に示す位置まで回転すると、サブシャーシ６８は矢印Ａ方向への移動を終了し、以降の回転ではカム部７８の形状によって動かない構造になっている。
【００４０】
この状態では、ピンチローラーユニット６６はピンチローラー９８がキャプスタン軸１０２との間にわずかな間隙を残した位置で待機する、ストップ位置である。
【００４１】
前記図４に示すストップ位置から、さらにカムギア７４が矢印Ｃ方向に回転すると、サブシャーシ６８は動かないが、キックアーム８０がカム溝８４の形状によって矢印Ｅ方向に回動する。
【００４２】
この動作で前記キックアーム８０のキック部１０４は、圧着バネ１００の端部１０１と係合してピンチローラーユニット６６を矢印Ｊ方向に回動し、ピンチローラー９８がキャプスタン軸１０２に当接した後もさらに回動し、前記圧着バネ１００を撓ませてピンチローラー９８に圧着力を発生させ、図５に示すプレイモード状態となる。
【００４３】
これによって前記ピンチローラー９８とキャプスタン軸１０２との間に挟まれた磁気テープ（図示せず）はキャプスタンモータ６４の回転によって移送される。
【００４４】
前記キックアーム８０のカム溝８４はカムピン７６の外径に対してほぼ同等幅の確動カムであるが、Ｇで示す範囲は溝幅を広く取って逃がしてある。
【００４５】
この理由は、従来例と同様に、図２、図４、図５に示すようにカムピン７６がＧに示す範囲外にある時は前記カムピン７６とカム溝８４との圧力角は前記カムピン７６がカム溝８４内を移動するのに支障のない角度であるが、Ｇに示す範囲では圧力角が極めて高く、特に図３に示す、アーム軸８２、カムピン７６、アーム軸８２が一列に並んだ位置では圧力角が９０°となり、カムピン７６がカム溝８４に食い込んで動かなくなるのを防ぐためである。
【００４６】
前記キックアーム８０は、カムピン７６がＧに示すカム溝８４が確動カムでない範囲では、アーム軸８２の周りを矢印ＥまたはＦ方向に自由に動けるが、矢印Ｆ方向への動きはストッパピン８６で規制されている。
【００４７】
矢印Ｅ方向の動きは、図５に示すプレイモード状態まで回動可能な状態にしておく必要があるが、図３に示す状態で前記キックアーム８０が矢印Ｅ方向に回動しすぎるとカムピン７６とカム溝８４との圧力角が大きくなりすぎてセルフロック状態となる。
【００４８】
この矢印Ｅ方向の回動を規制するため、キックアーム８０は回動防止部１０６を有しており、前記回動防止部１０６に対向した範囲をピンチローラーユニット６６の圧着バネ１００の端部１０１が通過する間は、前記キックアーム８０の矢印Ｅ方向の回動が規制されて、図６に一点鎖線と実線示す範囲しか自由度がない。
【００４９】
このためカムピン７６とカム溝８４との圧力角は最大でも図６にＫで示す値となり、セルフロックには至らない。
【００５０】
この回動防止部１０６はカムピン７６がＧ区間を通過する際に前記ピンチローラーユニット６６の圧着バネ１００の端部１０１が移動する区間以上に設けられており、前記キックアーム８０の回動が自由になっている間は前記ストッパピン８６とピンチローラーユニット６６の圧着バネ１００の端部１０１によって回動が規制される。
【００５１】
【発明の効果】
以上のように本発明は、ピンチローラーアーム９０の回動に伴って戻しバネ９６が伸びた状態になっても、実際には圧着バネ１００への巻き付け角度が増えるだけで、戻しバネ９６の占有空間はごくわずかである。
【００５２】
これによって装置の小型化に貢献するという優れた効果が得られる。
【００５３】
また、一般的にバネの外周は滑らかであり、戻しバネ９６の外周は常に圧着バネ１００に接しているため、バネの急激な伸縮時に発生する音も抑えられ、動作音が静粛になるといった効果も得られる。
【図面の簡単な説明】
【図１】本発明の実施の形態における磁気記録再生装置の要部斜視図
【図２】同実施の形態における磁気記録再生装置の動作説明のための要部平面図
【図３】同実施の形態における磁気記録再生装置の動作説明のための要部平面図
【図４】同実施の形態における磁気記録再生装置の動作説明のための要部平面図
【図５】同実施の形態における磁気記録再生装置の動作説明のための要部平面図
【図６】同実施の形態における磁気記録再生装置の動作説明のための要部平面図
【符号の説明】
６６  ピンチローラーユニット
９６  戻しバネ
１００  圧着バネ
【図１】
2004288275.tif 000003
【図２】
2004288275.tif 000004
【図３】
2004288275.tif 000005
【図４】
2004288275.tif 000006
【図５】
2004288275.tif 000007
【図６】
2004288275.tif 000008